(57)【特許請求の範囲】
【請求項１】
施設内の設備に対して設定された管理ポイントを監視および制御する施設監視制御装置であって、
前記施設のグラフィックス画面を表示する施設図面表示部と、
前記施設に存在する前記管理ポイントのシンボルを、前記グラフィックス画面上に表示するシンボル表示部と、
制御プログラムに対応する登録ボックス画面を表示し、前記グラフィックス画面上に表示された前記シンボルを前記登録ボックス画面へ移動する指示を、操作員から受け付けると共に、当該移動する指示を受け付けた前記シンボルに対応する前記管理ポイントを前記制御プログラムに登録する登録ボックス表示部であって、前記移動する指示を受け付けた前記シンボルに対応する前記管理ポイントが、前記登録ボックス画面に対応付けられている前記制御プログラムにすでに登録されている管理ポイントと種類が異なるか、前記制御プログラムにすでに登録されているか、他の制御プログラムにすでに登録されている場合、前記登録ボックス画面には移動せず、前記操作員に通知する前記登録ボックス表示部と、
前記制御プログラムに登録された前記管理ポイントの制御内容を設定可能な制御プログラム画面を表示する制御プログラム画面表示部とを備えることを特徴とする施設監視制御装置。
【請求項２】
施設内の設備に対して設定された管理ポイントを監視および制御する施設監視制御方法であって、
前記施設のグラフィックス画面および制御プログラムに対応する登録ボックス画面が表示された状態において、前記グラフィックス画面上に表示された前記管理ポイントを表すシンボルを前記登録ボックス画面へ移動する指示を、操作員から受け付けるステップと、
前記移動する指示を受け付けた前記シンボルに対応する前記管理ポイントを、前記登録ボックス画面に対応付けられている前記制御プログラムに登録するステップと、
前記制御プログラムに登録された前記管理ポイントの制御内容を設定可能な制御プログラム画面を表示するステップと、
前記移動する指示を受け付けた前記シンボルに対応する前記管理ポイントが、前記登録ボックス画面に対応付けられている前記制御プログラムにすでに登録されている管理ポイントと種類が異なるか、前記制御プログラムにすでに登録されているか、他の制御プログラムにすでに登録されている場合、前記登録ボックス画面には移動せず、前記操作員に通知するステップとを備えることを特徴とする施設監視制御方法。
【発明の詳細な説明】
【技術分野】
【０００１】
この発明は、施設内の設備に対して設定された管理ポイントを監視および制御する施設監視制御装置および施設監視制御方法に関するものである。
【背景技術】
【０００２】
従来、プラント、テナントビルおよびホテルなどの施設内の設備機器を監視制御する施設監視制御装置では、予め定められた制御プログラムに従って、スケジュール時刻に室内温度が設定温度となるように空調機および空調機に熱源水を供給する熱源機を起動したり、室内温度が所定の温度範囲に収まるように上下限を監視したりする（例えば、特許文献１，２参照）。また、予め定められた制御プログラムに従って、室内温度の計測値を収集したり、収集した計測値のトレンドグラフを生成したりする。
【０００３】
制御プログラムを設定する際、操作員は、設備機器の一覧を表示したグラフィックス画面にて登録対象の設備機器の情報を確認した上で、制御プログラム画面を表示し、確認した設備機器の情報を登録するという手順であった。
【先行技術文献】
【特許文献】
【０００４】
【特許文献１】特開２００４−８５１４１号公報
【特許文献２】特開２０１０−２８６１９０号公報
【発明の概要】
【発明が解決しようとする課題】
【０００５】
従来の施設監視制御装置は以上のように構成されているので、操作員は、制御プログラムを設定する際、グラフィックス画面と制御プログラム画面を往復する必要があり、手間と時間がかかるという課題があった。
【０００６】
この発明は、上記のような課題を解決するためになされたもので、制御プログラムに管理ポイントの情報を登録する手間を軽減することにより、制御プログラムの設定作業を効率化することを目的とする。
【課題を解決するための手段】
【０００７】
この発明に係る施設監視制御装置は、施設内の設備に対して設定された管理ポイントを監視および制御する施設監視制御装置であって、施設のグラフィックス画面を表示する施設図面表示部と、施設に存在する管理ポイントのシンボルを、グラフィックス画面上に表示するシンボル表示部と、制御プログラムに対応する登録ボックス画面を表示し、グラフィックス画面上に表示されたシンボルを登録ボックス画面へ移動する指示を、操作員から受け付けると共に、当該移動する指示を受け付けたシンボルに対応する管理ポイントを制御プログラムに登録する登録ボックス表示部であって、移動する指示を受け付けたシンボルに対応する管理ポイントが、登録ボックス画面に対応付けられている制御プログラムにすでに登録されている管理ポイントと種類が異なるか、制御プログラムにすでに登録されているか、他の制御プログラムにすでに登録されている場合、登録ボックス画面には移動せず、操作員に通知する登録ボックス表示部と、制御プログラムに登録された管理ポイントの制御内容を設定可能な制御プログラム画面を表示する制御プログラム画面表示部とを備えるものである。
【０００８】
この発明に係る施設監視制御方法は、施設内の設備に対して設定された管理ポイントを監視および制御する施設監視制御方法であって、施設のグラフィックス画面および制御プログラムに対応する登録ボックス画面が表示された状態において、グラフィックス画面上に表示された管理ポイントを表すシンボルを登録ボックス画面へ移動する指示を、操作員から受け付けるステップと、移動する指示を受け付けたシンボルに対応する管理ポイントを、登録ボックス画面に対応付けられている制御プログラムに登録するステップと、制御プログラムに登録された管理ポイントの制御内容を設定可能な制御プログラム画面を表示するステップと、移動する指示を受け付けたシンボルに対応する管理ポイントが、登録ボックス画面に対応付けられている制御プログラムにすでに登録されている管理ポイントと種類が異なるか、制御プログラムにすでに登録されているか、他の制御プログラムにすでに登録されている場合、登録ボックス画面には移動せず、操作員に通知するステップとを備えるものである。
【発明の効果】
【０００９】
この発明によれば、施設のグラフィックス画面から登録ボックス画面へ移動されたシンボルに対応する管理ポイントを、当該登録ボックス画面に対応付けられた制御プログラムに登録し、制御プログラム画面で制御内容を設定できるようにしたので、操作員が制御プログラムに管理ポイントの情報を登録する手間を軽減でき、制御プログラムの設定作業を効率化することができる。
【図面の簡単な説明】
【００１０】
【図１】この発明の実施の形態１に係る施設監視制御装置の構成を示すブロック図である。
【図２】実施の形態１に係る施設監視制御装置が表示する画面例を示す図である。
【図３】実施の形態１に係る施設監視制御装置が表示する制御プログラム画面の例を示す図である。
【図４】実施の形態１に係る施設監視制御装置の登録ボックス表示部の動作を示すフローチャートである。
【発明を実施するための形態】
【００１１】
実施の形態１．
図１に示すように、実施の形態１に係る施設監視制御装置１０の構成を示すブロック図である。図１に示す施設監視制御装置１０は、コンピュータを有する情報処理装置からなり、通信インタフェース（以下、通信Ｉ／Ｆ）部１１、表示部１２、入力部１３、記憶部１４、および制御部１５が設けられている。
【００１２】
通信Ｉ／Ｆ部１１は、通信ネットワークを介してコントローラ２０と接続されている。このコントローラ２０は、施設監視制御装置１０が監視制御対象とする施設に設置された設備に接続されている。
【００１３】
ここで、設備について説明する。
実施の形態１の施設監視制御装置１０は、設備の監視および制御を、管理ポイントに基づいて行うこととする。例えば空調設備の場合、空気調和機の運転と停止（発停）を管理する管理ポイント２１、空気調和機の温度設定値を示す管理ポイント２２、空気調和機の周囲温度の計測値を示す管理ポイント２３などが用意される。管理ポイントごとにアドレスが割り当てられ、施設監視制御装置１０とコントローラ２０は、アドレスに基づいて管理ポイントを識別する。施設監視制御装置１０が管理ポイント２１を「発」または「停」に設定すると、コントローラ２０が管理ポイント２１に対応する空気調和機の運転を開始または停止する。また、コントローラ２０は、管理ポイント２３の温度計測値が、施設監視制御装置１０により設定された管理ポイント２２の温度設定値になるよう、空気調和機を制御する。さらに、コントローラ２０は、管理ポイント２３の温度計測値を施設監視制御装置１０へ通知する。
管理ポイント２４は排気ファンの発停を監視および制御する管理ポイント、管理ポイント２５は給気ファンの発停を監視および制御する管理ポイントとする。
なお、設備は空調設備に限定されるものではなく、照明設備や給排水設備などでもよい。
【００１４】
表示部１２は、表示装置からなり、制御部１５からの指示に応じて各種情報を画面表示する。
入力部１３は、マウスやタッチセンサなどの操作入力装置からなり、操作員の操作指示を検出して制御部１５へ入力する。
【００１５】
記憶部１４は、ハードディスクやメモリなどの記憶装置からなり、制御部１５による読み書きが可能である。この記憶部１４は、表示情報１４ａとして、施設のグラフィックス画面、施設に設置された設備の管理ポイントを表したシンボル、管理ポイントを制御プログラムに登録する登録ボックス画面、制御プログラムを設定する制御プログラム画面などの情報を記憶している。また、管理情報１４ｂとして、管理ポイントの名称、アドレス、配置位置、および種類（発停点、設定点など）の情報を記憶している。管理ポイントの種類が発停点の場合、管理情報１４ｂには制御部１５により操作された現在の状態（「発」か「停」か）が含まれ、設定点の場合は制御部１５により設定された現在の設定値が含まれ、計測点の場合はコントローラ２０から制御部１５へ通知された計測値が含まれる。
【００１６】
さらに、記憶部１４は、制御プログラム１４ｃとして、管理ポイントを制御する制御プログラムを記憶している。例えば、空気調和機の発停の管理ポイント２１を９時に「発」にし、２４時に「停」にするという制御内容が記述された制御プログラムがある。また例えば、管理ポイント２３から１分周期で温度計測値を収集し、１日分のトレンドグラフを作成するという制御内容が記述された制御プログラムがある。これらは一例であって制御プログラムを限定するものではない。
【００１７】
制御部１５は、ＣＰＵ（Ｃｅｎｔｒａｌ  Ｐｒｏｃｅｓｓｉｎｇ  Ｕｎｉｔ）などからなり、所定のプログラムを実行することにより、各種機能を実現する。各種機能としては、施設図面表示部１５ａ、シンボル表示部１５ｂ、登録ボックス表示部１５ｃ、制御プログラム画面表示部１５ｄ、および制御プログラム実行部１５ｅがある。
【００１８】
図２および図３に、表示部１２が表示する画面例を示す。以下、これらの図を参照しながら、制御部１５の各種機能の一例を説明する。
【００１９】
施設図面表示部１５ａは、入力部１３を介した操作員の操作指示に応じて、記憶部１４の表示情報１４ａから施設のグラフィックス画面を読み出し、表示部１２に表示させる。
シンボル表示部１５ｂは、施設図面表示部１５ａが施設のグラフィックス画面を表示させる際、記憶部１４の管理情報１４ｂに基づいて、施設に配置されている設備の管理ポイントを抽出する。そして、シンボル表示部１５ｂは、抽出した管理ポイントを表すシンボルを、記憶部１４の表示情報１４ａから読み出し、管理ポイントの配置位置に基づいて施設のグラフィックス画面上に配置する。
【００２０】
図２では、施設のグラフィックス画面１００の一例として平面図を示す。グラフィックス画面１００の上に表示されている空気調和機ＡＣＰ１の図形シンボルが発停の管理ポイント２１を表し、給気ファンＦＳ１の図形シンボルが発停の管理ポイント２４を表し、排気ファンＦＥ１の図形シンボルが発停の管理ポイント２５を表す。シンボルは図形に限らず、文字列などでもよい。「設定２７℃」の文字列シンボルが温度設定値の管理ポイント２２を表し、「計測２８℃」の文字列シンボルが温度計測値の管理ポイント２３を表す。
【００２１】
図２では、グラフィックス画面の一例として、施設の平面図を示したが、これに限らず、例えば施設内の管理ポイントの一覧を表したリストなどを表示してもよい。この場合、シンボル表示部１５ｂは、リスト上に管理ポイントを表す文字列を表示し、この文字列をシンボルとして取り扱う。
【００２２】
登録ボックス表示部１５ｃは、入力部１３を介した操作員の操作指示に応じて、記憶部１４の表示情報１４ａから登録ボックス画面を読み出し、表示部１２に表示させる。また、登録ボックス表示部１５ｃは、登録ボックス画面に対する操作指示に応じた制御プログラムを、記憶部１４の制御プログラム１４ｃから読み出し、制御プログラムの情報を登録ボックス画面上に表示する。登録ボックス画面上に表示する制御プログラムの情報としては、例えば、プログラムＮｏ．、プログラム名、制御プログラムに紐付けられている管理ポイントの情報などがある。
【００２３】
登録ボックス表示部１５ｃは、施設のグラフィックス画面上に表示されている任意のシンボルに対する操作指示に応じて、このシンボルに対応する管理ポイントの情報を、記憶部１４の管理情報１４ｂから読み出し、登録ボックス画面上に表示させる。
ここで、シンボルに対する操作指示としては、施設のグラフィックス画面上に表示されているシンボルを登録ボックス画面上に移動する操作（ドラッグ・アンド・ドロップ）指示や、施設のグラフィックス画面上に表示されているシンボルを複数個選択してまとめて登録ボックス画面上に移動する操作指示がある。
【００２４】
さらに、登録ボックス表示部１５ｃは、操作員から管理ポイントの登録を指示された場合、登録ボックス画面にドラッグ・アンド・ドロップされたシンボルに対応する管理ポイントの管理情報１４ｂを制御プログラム１４ｃに紐付ける。以下、管理情報１４ｂを制御プログラム１４ｃに紐付ける処理を、「管理ポイントの登録」と呼ぶ。また、登録ボックス表示部１５ｃは、操作員から制御プログラム画面の表示を指示された場合、制御プログラム画面表示部１５ｄに通知する。
【００２５】
図２では、登録ボックス画面２００上に、プログラムＮｏ．を選択可能なプルダウンメニューが表示され、操作員の操作指示に応じて制御プログラムを変更可能になっている。記憶部１４に記憶されている制御プログラム１４ｃのうち、現在はプログラムＮｏ．「５」、プログラム名「７階東側空調」の制御プログラムが選択されている。「７階東側空調」の制御プログラムには、既に、空気調和機ＡＣＰ１の管理ポイント２１が登録されている。そのため管理ポイント２１のアドレス「１２０１．２５」、配置位置「７階東側」、名称「ＡＣＰ１」が表示されている。
【００２６】
ここで、管理ポイント２４を表した給気ファンＦＳ１のシンボルと、管理ポイント２５を表した排気ファンＦＥ１のシンボルとが登録ボックス画面２００にドラッグ・アンド・ドロップされると、登録ボックス画面２００上に、管理ポイント２４のアドレス「１２０１．２６」、配置位置「７階東側」、名称「ＦＳ１」と、管理ポイント２５のアドレス「１２０１．２７」、配置位置「７階東側」、名称「ＦＥ１」とが表示される。
このように１つ以上のシンボルの登録操作が可能であり、排気ファンＦＥ１のシンボルのドラッグ・アンド・ドロップ操作に続けて、例えば空気調和機ＡＣＰ２のシンボルのドラッグ・アンド・ドロップ操作も可能である。
【００２７】
なお、登録ボックス表示部１５ｃは、誤操作を防止する目的で、登録ボックス画面の制御プログラムの管理ポイントとは異なる種類の管理ポイントを表すシンボル、すでに登録済みの管理ポイントを表すシンボル、または他の制御プログラムに登録済みの管理ポイントを表すシンボルが登録ボックス画面２００にドラッグ・アンド・ドロップされた場合に、ドロップ操作をキャンセルすると共に、操作員に注意を促す表示を表示部１２に行わせてもよい。例えば、発停点の管理ポイントが登録されてある登録ボックス画面２００に、設定点の管理ポイントを表すシンボルがドラッグ・アンド・ドロップされた場合、登録ボックス表示部１５ｃは表示部１２を介して操作員に通知する。
施設監視制御装置１０がスピーカなどの音声出力部を備えている場合には、上記通知を音声により行ってもよい。
【００２８】
登録ボックス表示部１５ｃは、登録ボックス画面２００の「登録」ボタンが操作された場合、「７階東側空調」の制御プログラムに管理ポイント２４，２５の情報を登録する、つまり紐付ける。また、登録ボックス表示部１５ｃは、登録ボックス画面２００の「画面表示」ボタンが操作された場合、対応する制御プログラム画面の表示指示を、制御プログラム画面表示部１５ｄに通知する。
【００２９】
制御プログラム画面表示部１５ｄは、登録ボックス表示部１５ｃから制御プログラム画面の表示指示が通知されると、表示対象となる制御プログラムの制御プログラム画面を記憶部１４の表示情報１４ａから読み出すと共に、表示対象となる制御プログラムに登録されている管理ポイントの情報を記憶部１４の管理情報１４ｂから読み出す。そして、制御プログラム画面表示部１５ｄは、管理ポイントの情報を反映した制御プログラム画面を、表示部１２に表示させる。
【００３０】
図３は、図２に示した登録ボックス画面２００の「画面表示」ボタンが操作員により操作された場合に、制御プログラム画面表示部１５ｄが表示する制御プログラム画面３００である。制御プログラム画面３００は、「７回東側空調」の制御プログラムを設定するための画面であり、過去に登録された、空気調和機ＡＣＰ１を９時に「発」にし、２４時に「停」にする制御スケジュールのバーが表示されている。さらに、制御プログラム画面３００には、図２の登録ボックス画面２００で追加登録された給気ファンＦＳ１および排気ファンＦＥ１について、制御スケジュールを設定可能なバーが表示されている。
【００３１】
制御プログラム画面３００の給気ファンＦＳ１のバーに対して「発」と「停」が設定され「設定」ボタンが操作されると、制御プログラム画面表示部１５ｄは、給気ファンＦＳ１に対応する管理ポイント２４の制御スケジュールを、記憶部１４に記憶されている制御プログラム１４ｃに追加する。排気ファンＦＥ１についても同様に制御スケジュールを設定可能である。
【００３２】
制御プログラム実行部１５ｅは、記憶部１４の制御プログラム１４ｃおよび制御プログラム１４ｃに紐付いた管理情報１４ｂに基づいて、管理ポイントに対する操作指示を生成し、通信Ｉ／Ｆ部１１を介してコントローラ２０へ出力する。コントローラ２０は、制御プログラム実行部１５ｅから通知された操作指示に従って、管理ポイントの発停や設定値を制御する。
【００３３】
従来は、操作員が、施設のグラフィックス画面などを操作して管理ポイントのアドレスや名称を表示させて確認する。その上で制御プログラム画面を表示させ、先ほど確認したアドレスや名称を登録して、その管理ポイントの制御スケジュールを設定していた。
これに対し、施設監視制御装置１０では、管理ポイントの管理情報（アドレス等）を制御プログラムに登録する処理を登録ボックス表示部１５ｃが行うので、操作員の手間を軽減できる。
【００３４】
図４は、登録ボックス表示部１５ｃの動作を示すフローチャートである。
表示部１２が施設のグラフィックス画面とシンボルと登録ボックス画面とを表示している状態で、グラフィックス画面上の任意のシンボルが登録ボックス画面にドラッグ・アンド・ドロップされると、登録ボックス表示部１５ｃは、そのドラッグ・アンド・ドロップ操作を受け付け（ステップＳＴ１“ＹＥＳ”）、ドラッグ・アンド・ドロップ操作されたシンボルに対応する管理ポイントの管理情報１４ｂを記憶部１４から読み出す（ステップＳＴ２）。
【００３５】
登録ボックス表示部１５ｃは、ステップＳＴ１でドラッグ・アンド・ドロップ操作されたシンボルに対応する管理ポイントを、登録ボックス画面で選択中の制御プログラムへ登録許可するか否かを判断する（ステップＳＴ３）。
登録ボックス表示部１５ｃは、記憶部１４を参照して、このシンボルに対応する管理ポイントの種類、制御プログラムとの紐付き状態などに基づいて、登録を許可するか否かを判断する。
【００３６】
登録を許可する場合（ステップＳＴ３“ＹＥＳ”）、登録ボックス表示部１５ｃは、ステップＳＴ１でドラッグ・アンド・ドロップ操作されたシンボルに対応する管理ポイントの管理情報を登録ボックス画面上に表示する（ステップＳＴ４）。
一方、登録を許可しない場合（ステップＳＴ３“ＮＯ”）、登録ボックス表示部１５ｃは、操作員に対して誤操作の可能性を通知する（ステップＳＴ５）。
【００３７】
操作員は、この時点で、一旦登録ボックス画面への投入が許可された管理ポイントを登録ボックス画面から除外したい場合には、除外したい管理ポイントのシンボルを登録ボックス画面の外へドラッグ・アンド・ドロップする。登録ボックス表示部１５ｃは、上記のドラッグ・アンド・ドロップ操作を受け付けると、登録ボックス画面から外へ移動されたシンボルに対応する管理ポイントの登録を許可しないと判断し、登録ボックス画面上に表示していた管理情報の表示を消す。
【００３８】
操作員によって登録ボックス画面上の「登録」ボタンが操作された場合、登録ボックス表示部１５ｃは、この登録操作指示を受け付け（ステップＳＴ６“ＹＥＳ”）、登録を許可した管理ポイントの管理情報を、登録ボックス画面に対応付けられている制御プログラムに登録し（ステップＳＴ７）、ステップＳＴ８へ進む。
一方、所定時間が経過しても登録操作が指示されない場合（ステップＳＴ６“ＮＯ”）、登録ボックス表示部１５ｃは、ステップＳＴ７をスキップしてステップＳＴ８へ進む。
【００３９】
操作員によって登録ボックス画面上の「画面表示」ボタンが操作された場合、登録ボックス表示部１５ｃは、この画面表示操作指示を受け付け（ステップＳＴ８“ＹＥＳ”）、登録ボックス画面に対応付けられている制御プログラムの画面を表示する指示を、制御プログラム画面表示部１５ｄへ通知する（ステップＳＴ９）。
一方、所定時間が経過しても登録操作が指示されない場合（ステップＳＴ８“ＮＯ”）、登録ボックス表示部１５ｃは、ステップＳＴ９をスキップして一連の処理を終了するか、再びステップＳＴ１へ戻る。
【００４０】
以上より、実施の形態１によれば、施設のグラフィックス画面を表示する施設図面表示部１５ａと、施設に存在する管理ポイントのシンボルをグラフィックス画面上に表示するシンボル表示部１５ｂと、制御プログラムに対応する登録ボックス画面を表示し、グラフィックス画面上に表示されたシンボルを登録ボックス画面へ移動する指示を、操作員から受け付けると共に、当該移動する指示を受け付けたシンボルに対応する管理ポイントを制御プログラムに登録する登録ボックス表示部１５ｃと、制御プログラムに登録された管理ポイントの制御内容を設定可能な制御プログラム画面を表示する制御プログラム画面表示部１５ｄとを備える構成にしたので、操作員は、グラフィックス画面上で管理ポイントのアドレスや名称を確認することなく、制御プログラムに管理ポイントを登録することができるようになる。よって、操作員の手間を軽減でき、作業効率を向上させることができる。
【００４１】
また、実施の形態１によれば、登録ボックス表示部１５ｃは、移動指示を受け付けたシンボルに対応する管理ポイントが、登録ボックス画面に対応付けられている制御プログラムにすでに登録されている管理ポイントと種類が異なるか、当該制御プログラムにすでに登録されているか、別の制御プログラムにすでに登録されている場合、登録ボックス画面には移動せず、操作員に通知するようにしたので、操作員の誤操作を防止できる。
【００４２】
以上、本発明の実施形態を図面を参照して詳述してきたが、具体的な構成は、上述した実施の形態の構成に限られるものではなく、本発明の要旨を逸脱しない範囲の設計の変更などがあっても本発明に含まれることは言うまでもない。
【符号の説明】
【００４３】
１０  施設監視制御装置
１１  通信Ｉ／Ｆ部
１２  表示部
１３  入力部
１４  記憶部
１４ａ  表示情報
１４ｂ  管理情報
１４ｃ  制御プログラム
１５  制御部
１５ａ  施設図面表示部
１５ｂ  シンボル表示部
１５ｃ  登録ボックス表示部
１５ｄ  制御プログラム画面表示部
１５ｅ  制御プログラム実行部
２０  コントローラ
２１〜２５  管理ポイント
１００  グラフィックス画面
２００  登録ボックス画面
３００  制御プログラム画面
【図１】
0006328042.tif 000002
【図２】
0006328042.tif 000003
【図３】
0006328042.tif 000004
【図４】
0006328042.tif 000005